(57)【要約】【課題】階層構造を有するアイコンを簡便な操作で効率的に特定（指示、選択）できる電子機器、電子機器におけるアイコン操作方法、および電子機器におけるアイコン操作をコンピュータに実行させるコンピュータプログラムを提供する。【解決手段】電子機器１は、３次元画像を表示する表示部２０と、左カメラ部、右カメラ部を備える。表示部２０は、表示面２０ｆを備え、表示面２０ｆを基準とする横方向ＤＸ、縦方向ＤＹに対して電子機器１の使用者（不図示）と表示面２０ｆとの間に奥行き方向ＤＺで、アイコンＩＣの階層構造をそのまま３次元で表示する。アイコンＩＣの表示は、手前側（表示部２０から離れる側）から表示部２０側（表示部２０に近づく側）の間で、アイコンＩＣが階層構造に応じて部分的に順次重畳された状態で表示される。【選択図】図１
2013239113.tif 000002
【特許請求の範囲】
【請求項１】
３次元画像を表示する表示部と、部分的に順次重畳された態様で階層が３次元画像として表示された複数のアイコンのいずれかを指示する３次元ポインタを検出する３次元ポインタ検出部とを備える電子機器であって、
前記３次元ポインタ検出部が前記３次元ポインタの位置情報を抽出したとき、前記位置情報に基づいて前記３次元ポインタに指示されたアイコンを特定アイコンとして特定するアイコン特定部と、
前記特定アイコンに対する前記３次元ポインタの指示が第１時間の間、継続されたとき、前記特定アイコンに対する指示を認定するアイコン指示認定部と、
前記アイコン指示認定部が前記特定アイコンに対する指示を認定したとき前記特定アイコンを強調表示する強調表示処理部とを備えること
を特徴とする電子機器。
【請求項２】
請求項１に記載の電子機器であって、
強調表示された前記特定アイコンに対する前記３次元ポインタの指示が第１時間に連続する第２時間の間、継続されたとき、前記特定アイコンに続く次の動作を案内するアイコンを前記特定アイコンの周囲に補助アイコンとして表示させる次動作案内部を備えること
を特徴とする電子機器。
【請求項３】
請求項２に記載の電子機器であって、
前記補助アイコンは、前記特定アイコンに隣接する複数の方向で表示されること
を特徴とする電子機器。
【請求項４】
請求項３に記載の電子機器であって、
前記複数の方向の内で第１方向の前記補助アイコンは、前記特定アイコンを起動する動作が割り当てられていること
を特徴とする電子機器。
【請求項５】
請求項３または請求項４に記載の電子機器であって、
前記複数の方向の内で第２方向の前記補助アイコンは、前記特定アイコンに対して前記表示部から離れる側のアイコンを起動する動作が割り当てられていること
を特徴とする電子機器。
【請求項６】
請求項３から請求項５までのいずれか一つに記載の電子機器であって、
前記複数の方向の内で第３方向の前記補助アイコンは、前記特定アイコンに対して前記表示部に近い側のアイコンを起動する動作が割り当てられていること
を特徴とする電子機器。
【請求項７】
請求項３から請求項６までのいずれか一つに記載の電子機器であって、
前記複数の方向の内で第４方向の前記補助アイコンは、前記特定アイコンを含む縦列に属するアイコンを起動する動作が割り当てられていること
を特徴とする電子機器。
【請求項８】
請求項７に記載の電子機器であって、
前記第１方向、前記第２方向、前記第３方向、および前記第４方向は、前記表示部の縦方向および横方向に沿う方向の上下左右に配置されていること
を特徴とする電子機器。
【請求項９】
請求項２から請求項８までのいずれか一つに記載の電子機器であって、
前記３次元ポインタが前記特定アイコンから移動されて前記補助アイコンが選択されたことを検出する次動作検出部を備え、
前記次動作検出部は、検出された前記補助アイコンに対応する動作を実行させる構成とされていること
を特徴とする電子機器。
【請求項１０】
請求項１から請求項９までのいずれか一つに記載の電子機器であって、
部分的に重畳して配置された前記アイコンは、上位階層から下位階層までの処理動作に対応させて一群の縦列に配置され、上位階層に対応するアイコンは、表示部から離れる側に配置されて下位階層に対応するアイコンに対して部分的に重畳させて表示されていること
を特徴とする電子機器。
【請求項１１】
３次元画像を表示する表示部と、部分的に順次重畳された態様で階層が３次元画像として表示された複数のアイコンのいずれかを指示する３次元ポインタを検出する３次元ポインタ検出部とを備える電子機器におけるアイコン操作方法であって、
前記３次元ポインタ検出部が前記３次元ポインタの位置情報を抽出したとき、前記位置情報に基づいて前記３次元ポインタに指示されたアイコンを特定アイコンとしてアイコン特定部に特定させるステップと、
前記特定アイコンに対する前記３次元ポインタの指示が第１時間の間、継続されたとき、前記特定アイコンに対する指示をアイコン指示認定部に認定させるステップと、
前記アイコン指示認定部が前記特定アイコンに対する指示を認定したとき前記特定アイコンを強調表示処理部に強調表示させるステップとを備えること
を特徴とする電子機器におけるアイコン操作方法。
【請求項１２】
３次元画像を表示する表示部と、部分的に順次重畳された態様で階層が３次元画像として表示された複数のアイコンのいずれかを指示する３次元ポインタを検出する３次元ポインタ検出部とを備える電子機器におけるアイコン操作をコンピュータに実行させるコンピュータプログラムであって、
前記３次元ポインタ検出部が前記３次元ポインタの位置情報を抽出したとき、前記位置情報に基づいて前記３次元ポインタに指示されたアイコンを特定アイコンとしてアイコン特定部に特定させるステップと、
前記特定アイコンに対する前記３次元ポインタの指示が第１時間の間、継続されたとき、前記特定アイコンに対する指示をアイコン指示認定部に認定させるステップと、
前記アイコン指示認定部が前記特定アイコンに対する指示を認定したとき前記特定アイコンを強調表示処理部に強調表示させるステップとをコンピュータに実行させること
を特徴とする電子機器におけるアイコン操作をコンピュータに実行させるコンピュータプログラム。
【発明の詳細な説明】
【技術分野】
【０００１】
本発明は、３次元画像を表示する表示部と３次元ポインタ検出部とを備える電子機器、電子機器におけるアイコン操作方法、および電子機器におけるアイコン操作をコンピュータに実行させるコンピュータプログラムに関する。
【背景技術】
【０００２】
表示装置の技術の展開に伴って３次元で画像を表示する技術が提案されている。３次元で画像を表示できることから、画面上に表示されるアイコン（ポインタで指示される対象としてのアイコン）を３次元で表示し、ポインタで入力される技術が提案されている（例えば、特許文献１、特許文献２参照。）。
【先行技術文献】
【特許文献】
【０００３】
【特許文献１】特開２０１１−８１４８０号公報
【特許文献２】特開２０１１−１０８１５２号公報
【発明の概要】
【発明が解決しようとする課題】
【０００４】
しかし、特許文献１、特許文献２に開示された技術では、３次元でアイコンを表示するものでありながら、アイコンを指示（選択）する過程で階層の奥に配置されたアイコンを簡単に指示することが困難であり、階層の奥に配置されたアイコンを選択するときに同様な操作を何度も繰り返すことが必要になるなどアイコンに対する操作性に課題があった。
【０００５】
本発明は、このような状況に鑑みてなされたものであり、階層構造を有するアイコンを簡便な操作で効率的に特定（指示、選択）できる電子機器を提供することを目的とする。
【０００６】
また、本発明は、本発明に係る電子機器におけるアイコン操作方法を提供することを他の目的とする。
【０００７】
また、本発明は、本発明に係る電子機器におけるアイコン操作をコンピュータに実行させるコンピュータプログラムを提供することを他の目的とする。
【課題を解決するための手段】
【０００８】
本発明に係る電子機器は、３次元画像を表示する表示部と、部分的に順次重畳された態様で階層が３次元画像として表示された複数のアイコンのいずれかを指示する３次元ポインタを検出する３次元ポインタ検出部とを備える電子機器であって、前記３次元ポインタ検出部が前記３次元ポインタの位置情報を抽出したとき、前記位置情報に基づいて前記３次元ポインタに指示されたアイコンを特定アイコンとして特定するアイコン特定部と、前記特定アイコンに対する前記３次元ポインタの指示が第１時間の間、継続されたとき、前記特定アイコンに対する指示を認定するアイコン指示認定部と、前記アイコン指示認定部が前記特定アイコンに対する指示を認定したとき前記特定アイコンを強調表示する強調表示処理部とを備えることを特徴とする。
【０００９】
したがって、本発明に係る電子機器は、３次元画像として表示されたアイコンを指示する３次元ポインタを検出して位置情報（縦位置情報、横位置情報、奥行き位置情報）を抽出する３次元ポインタ検出部と、３次元ポインタの位置情報に基づいて３次元ポインタに指示されたアイコンを特定するアイコン特定部と、アイコン特定部によって特定された特定アイコンに対する３次元ポインタの指示が予め定めた第１時間の間、継続されたとき特定アイコンに対する指示がされていることを認定するアイコン指示認定部と、アイコン指示認定部が特定アイコンに対する指示を認定したとき特定アイコンを強調表示する強調表示処理部とを備えることから、３次元ポインタが指示した特定アイコンを正確に抽出してハイライト処理を施すので、３次元画像として階層構造を持たせて表示部に表示されたアイコンを簡便な操作で効率的に特定することができる。
【００１０】
また、本発明に係る電子機器では、強調表示された前記特定アイコンに対する前記３次元ポインタの指示が第１時間に連続する第２時間の間、継続されたとき、前記特定アイコンに続く次の動作を案内するアイコンを前記特定アイコンの周囲に補助アイコンとして表示させる次動作案内部を備えることを特徴とする。
【００１１】
したがって、本発明に係る電子機器は、特定アイコンに対する指示を更に継続するという安定した動作によって特定アイコンから導かれる次の動作を案内する補助アイコンを表示部に表示させる次動作案内部を備えることから、迅速に効率良く次の処理フローへ進むことが可能となる。
【００１２】
また、本発明に係る電子機器では、前記補助アイコンは、前記特定アイコンに隣接する複数の方向で表示されることを特徴とする。
【００１３】
したがって、本発明に係る電子機器は、特定アイコンに隣接する複数の方向で次の動作を案内する補助アイコンを表示することから、複数の方向のそれぞれに異なる次の動作のいずれかを割り当てることができるので次の動作の選択を簡略化させて効率化することができる。
【００１４】
また、本発明に係る電子機器では、前記複数の方向の内で第１方向の前記補助アイコンは、前記特定アイコンを起動する動作が割り当てられていることを特徴とする。
【００１５】
したがって、本発明に係る電子機器は、特定アイコンを起動する補助アイコンを隣接する第１方向に配置することから、３次元ポインタによって指定された特定アイコンの起動を簡便な操作で迅速に、かつ正確に実行することができる。
【００１６】
また、本発明に係る電子機器では、前記複数の方向の内で第２方向の前記補助アイコンは、前記特定アイコンに対して前記表示部から離れる側のアイコンを起動する動作が割り当てられていることを特徴とする。
【００１７】
したがって、本発明に係る電子機器は、特定アイコンに対して表示部から離れる側のアイコンを起動する補助アイコンを隣接する第２方向に配置することから、特定アイコンに対して表示部から離れる側の複数のアイコンの起動を簡便な操作で迅速に、かつ正確に実行することができる。
【００１８】
また、本発明に係る電子機器では、前記複数の方向の内で第３方向の前記補助アイコンは、前記特定アイコンに対して前記表示部に近い側のアイコンを起動する動作が割り当てられていることを特徴とする。
【００１９】
したがって、本発明に係る電子機器は、特定アイコンに対して表示部に近い側のアイコンを起動する補助アイコンを隣接する第３方向に配置することから、特定アイコンに対して表示部に近づく側の複数のアイコンの起動を簡便な操作で迅速に、かつ正確に実行することができる。
【００２０】
また、本発明に係る電子機器では、前記複数の方向の内で第４方向の前記補助アイコンは、前記特定アイコンを含む縦列に属するアイコンを起動する動作が割り当てられていることを特徴とする。
【００２１】
したがって、本発明に係る電子機器は、特定アイコンを含む縦列に属するアイコンを起動する補助アイコンを隣接する第４方向に配置することから、特定アイコンを含む縦列の複数のアイコンの起動を簡便な操作で迅速に、かつ正確に実行することができる。
【００２２】
また、本発明に係る電子機器では、前記第１方向、前記第２方向、前記第３方向、および前記第４方向は、前記表示部の縦方向および横方向に沿う方向の上下左右に配置されていることを特徴とする。
【００２３】
したがって、本発明に係る電子機器は、表示部を基準として上下左右に補助アイコンを配置することから、補助アイコンの正確な配置と補助アイコンに対する簡便な操作で迅速な処理が可能となる。
【００２４】
また、本発明に係る電子機器では、前記３次元ポインタが前記特定アイコンから移動されて前記補助アイコンが選択されたことを検出する次動作検出部を備え、前記次動作検出部は、検出された前記補助アイコンに対応する動作を実行させる構成とされていることを特徴とする。
【００２５】
したがって、本発明に係る電子機器は、特定アイコンに対して補助アイコンが選択されたことを検出して補助アイコンに適用された動作を実行させる次動作検出部を備えることから、簡便な操作で迅速に、かつ正確に次動作を実行することができ、利便性を向上させる。
【００２６】
また、本発明に係る電子機器では、部分的に重畳して配置された前記アイコンは、上位階層から下位階層までの処理動作に対応させて一群の縦列に配置され、上位階層に対応するアイコンは、表示部から離れる側に配置されて下位階層に対応するアイコンに対して部分的に重畳させて表示されていることを特徴とする。
【００２７】
したがって、本発明に係る電子機器は、相互に関連する上位から下位に渡る一群の階層を一群の縦列で部分的に重畳する形態のアイコンで表示することから、簡便な操作で効率よく適宜の階層の該当するアイコンを抽出することができる。
【００２８】
また、本発明に係る電子機器におけるアイコン操作方法は、３次元画像を表示する表示部と、部分的に順次重畳された態様で階層が３次元画像として表示された複数のアイコンのいずれかを指示する３次元ポインタを検出する３次元ポインタ検出部とを備える電子機器におけるアイコン操作方法であって、前記３次元ポインタ検出部が前記３次元ポインタの位置情報を抽出したとき、前記位置情報に基づいて前記３次元ポインタに指示されたアイコンを特定アイコンとしてアイコン特定部に特定させるステップと、前記特定アイコンに対する前記３次元ポインタの指示が第１時間の間、継続されたとき、前記特定アイコンに対する指示をアイコン指示認定部に認定させるステップと、前記アイコン指示認定部が前記特定アイコンに対する指示を認定したとき前記特定アイコンを強調表示処理部に強調表示させるステップとを備えることを特徴とする。
【００２９】
したがって、本発明に係る電子機器におけるアイコン操作方法は、本発明に係る電子機器と同様に、３次元画像として階層構造を持たせて表示部に表示されたアイコンを簡便な操作で効率的に特定することができる。
【００３０】
また、本発明に係る電子機器におけるアイコン操作をコンピュータに実行させるコンピュータプログラムは、３次元画像を表示する表示部と、部分的に順次重畳された態様で階層が３次元画像として表示された複数のアイコンのいずれかを指示する３次元ポインタを検出する３次元ポインタ検出部とを備える電子機器におけるアイコン操作をコンピュータに実行させるコンピュータプログラムであって、前記３次元ポインタ検出部が前記３次元ポインタの位置情報を抽出したとき、前記位置情報に基づいて前記３次元ポインタに指示されたアイコンを特定アイコンとしてアイコン特定部に特定させるステップと、前記特定アイコンに対する前記３次元ポインタの指示が第１時間の間、継続されたとき、前記特定アイコンに対する指示をアイコン指示認定部に認定させるステップと、前記アイコン指示認定部が前記特定アイコンに対する指示を認定したとき前記特定アイコンを強調表示処理部に強調表示させるステップとをコンピュータに実行させることを特徴とする。
【００３１】
したがって、本発明に係る電子機器におけるアイコン操作をコンピュータに実行させるコンピュータプログラムは、本発明に係る電子機器におけるアイコン操作方法と同様に、３次元画像として階層構造を持たせて表示部に表示されたアイコンを簡便な操作で効率的に特定することができる。
【発明の効果】
【００３２】
本発明に係る電子機器は、アイコン特定部によって特定された特定アイコンに対する３次元ポインタの指示が予め定めた第１時間の間、継続されたとき特定アイコンに対する指示がされていることを認定するアイコン指示認定部と、アイコン指示認定部が特定アイコンに対する指示を認定したとき特定アイコンを強調表示する強調表示処理部とを備える。
【００３３】
したがって、本発明に係る電子機器は、３次元ポインタが指示した特定アイコンを正確に抽出してハイライト処理を施すので、３次元画像として階層構造を持たせて表示部に表示されたアイコンを簡便な操作で効率的に特定することができるという効果を奏する。
【００３４】
また、本発明に係る電子機器におけるアイコン操作方法は、本発明に係る電子機器と同様に、３次元画像として階層構造を持たせて表示部に表示されたアイコンを簡便な操作で効率的に特定することができる。
【００３５】
また、本発明に係る電子機器におけるアイコン操作をコンピュータに実行させるコンピュータプログラムは、本発明に係る電子機器におけるアイコン操作方法と同様に、３次元画像として階層構造を持たせて表示部に表示されたアイコンを簡便な操作で効率的に特定することができる。
【図面の簡単な説明】
【００３６】
【図１】本発明の実施の形態１に係る電子機器における３次元画像として表示されたアイコンとアイコンを指示する３次元ポインタとの関係を概念的に示す模式図である。
【図２】図１に示した電子機器が備える概略構成ブロックを示すブロック図である。
【図３Ａ】図１に示した電子機器の表示部に表示された複数のアイコンが階層表示されているとき、２段目のアイコンが特定アイコンとして強調表示されている状態を示す模式図である。
【図３Ｂ】図１に示した電子機器の表示部に表示された複数のアイコンが階層表示されているとき、２段目のアイコンと４段目のアイコンが特定アイコンとして強調表示されている状態を示す模式図である。
【図４Ａ】図１に示した表示部に表示されたアイコンが特定アイコンとされた後、更に第２時間の間、継続して指示されたときに表示される補助アイコンの状態を示す模式図である。
【図４Ｂ】図４Ａに示した補助アイコンの内容を示すために表示面に表示されたガイド情報の例を示す模式図である。
【図４Ｃ】図４Ａに示した特定アイコンに隣接する複数の方向の中で第１方向に表示された補助アイコンが３次元ポインタによって選択された状態を示す模式図である。
【図４Ｄ】図４Ｃに示した補助アイコンが選択された後特定アイコンが起動する状態を模式的に示す模式図である。
【図４Ｅ】図４Ｃに示した特定アイコンに隣接する複数の方向の中で第２方向に表示された補助アイコンが３次元ポインタによって選択されて起動する前の状態を模式的に示す模式図である。
【図４Ｆ】図４Ｃに示した特定アイコンに隣接する複数の方向の中で第３方向に表示された補助アイコンが３次元ポインタによって選択されて起動する前の状態を模式的に示す模式図である。
【図４Ｇ】図４Ｃに示した特定アイコンに隣接する複数の方向の中で第４方向に表示された補助アイコンが３次元ポインタによって選択されて起動する前の状態を模式的に示す模式図である。
【図５】本発明の実施の形態２に係る電子機器における処理フローを示すフロー図である。
【発明を実施するための形態】
【００３７】
以下、本発明の実施の形態について図面を参照して説明する。
【００３８】
＜実施の形態１＞
図１ないし図４Ｇを参照して、本実施の形態に係る電子機器１（電子機器１におけるアイコン操作方法、電子機器１におけるアイコン操作をコンピュータに実行させるコンピュータプログラム）について説明する。
【００３９】
初めに、図１および図２を参照して、本実施の形態に係る電子機器１の概略構成について説明する。なお、電子機器１の具体例としては、据え置き型の電子機器の他に、例えば、携帯性、可搬性を有する電子機器とすることが好ましい。携帯性、可搬性を有する電子機器としては、３次元表示が可能な表示部を有するＰＤＡ（Ｐｅｒｓｏｎａｌ  Ｄｉｇｉｔａｌ  Ａｓｓｉｓｔ）などの携帯情報端末がある。電子機器１は、可搬性および携帯性を有することから、利便性、操作性を向上させた電子機器１となる。
【００４０】
図１は、本発明の実施の形態１に係る電子機器１における３次元画像として表示されたアイコンＩＣとアイコンＩＣを指示する３次元ポインタＰＴとの関係を概念的に示す模式図である。
【００４１】
図２は、図１に示した電子機器１が備える概略構成ブロックを示すブロック図である。
【００４２】
本実施の形態に係る電子機器１は、３次元画像を表示する表示部２０と、左カメラ部２６、右カメラ部２７を備える。
【００４３】
表示部２０は、表示面２０ｆを備え、表示面２０ｆを基準とする横方向ＤＸ、縦方向ＤＹに対して電子機器１の使用者（不図示）と表示面２０ｆとの間に奥行き方向ＤＺで３次元画像を表示する構成とされている。
【００４４】
電子機器１は、画像を３次元で表示することから、アイコンＩＣの階層構造をそのまま３次元で表示する。つまり、アイコンＩＣの表示は、手前側（表示部２０から離れる側）から表示部２０側（表示部２０に近づく側）の間で、アイコンＩＣが階層構造に応じて部分的に順次重畳された状態で表示される。
【００４５】
具体的には、上位階層に対応するアイコンＩＣを手前側に配置し、下位階層に属するアイコンＩＣを表示部２０側に配置することが好ましい。相互に階層関係を有するアイコンＩＣは、奥行き方向ＤＺで部分的に重畳して配置される。また、同一階層に相当するアイコンＩＣは、奥行き方向ＤＺで同一の奥行き位置に配置され、横方向ＤＸ、縦方向ＤＹの２次元での配置を異ならせることによって区別される。
【００４６】
アイコンＩＣは、３次元（立体）で画像表示されている。機能的に関連するアイコンＩＣは、奥行き方向（縦列方向）に重畳して配置されることが好ましい。アイコンＩＣの配置の態様は、手前側（表示部２０から離れる側）が上位階層のアイコンＩＣとされ、表示部２０に近づく側が下位階層のアイコンＩＣとされることが好ましい。
【００４７】
左カメラ部２６および右カメラ部２７は、表示部２０の両側に配置され、前面側（表示部２０から離れる方向）を撮像する。左カメラ部２６および右カメラ部２７は、それぞれカメラ視野角αを有し、両者のカメラ視野角αの重複範囲がポインタ検出角βとして構成される。つまり、左カメラ部２６、右カメラ部２７は、左右に配置されていることから、３次元ポインタＰＴを立体的に認識することが可能となる。
【００４８】
３次元ポインタＰＴは、例えば、人の指（指先）をそのまま適用することが利便性の観点から好ましい。しかし、指先に限るものではなく、例えば、指先と同程度の形状を有する指示棒などを適用することができる。
【００４９】
ポインタ検出角βの範囲内には、例えば複数のアイコンＩＣが配置（３次元表示）される。つまり、アイコンＩＣは、３次元ポインタＰＴによって指示される構成とされている。左カメラ部２６および右カメラ部２７によって撮像された３次元ポインタＰＴは、電子機器１が備える制御部１０、撮像処理部２５、３次元ポインタ検出部１１によって検出され、画像分析によって位置情報（横位置情報ｘｘ、縦位置情報ｙｙ、奥行き情報ｚｚ）が把握される。
【００５０】
他方、アイコンＩＣは、それぞれが位置情報（横位置情報ｘｘ、縦位置情報ｙｙ、奥行き情報ｚｚ）を保有している。したがって、アイコンＩＣの位置情報に対して３次元ポインタＰＴの位置情報が対応する（一致する）場合、アイコンＩＣは、３次元ポインタＰＴによって指示された状態として抽出される。
【００５１】
なお、３次元ポインタＰＴの位置を３次元で把握する手段として、左カメラ部２６、右カメラ部２７を適用した３次元撮像装置を例示したが、カメラのような撮像ではなく、表示面２０ｆの側から手前（使用者側）に向けて赤外線を照射し、反射光を検出して３次元ポインタＰＴの位置を確定することもできる。また、無線、赤外線通信など適宜の手段を適用することができる。
【００５２】
電子機器１は、本実施の形態に係る各種の動作を制御する制御部１０を備える。制御部１０は、例えばＣＰＵ（Ｃｅｎｔｒａｌ  Ｐｒｏｃｅｓｓｉｎｇ  Ｕｎｉｔ：中央処理装置）で構成され、予めインストールされたコンピュータプログラムによって電子機器１が備える表示部２０、左カメラ部２６、右カメラ部２７などと連係して設定された機能を実現する構成とされている。
【００５３】
電子機器１は、出力機能として３次元表示が可能な構成とされている。つまり、電子機器１は、供給された画像データに対応する画像を３次元表示する表示部２０と、表示部２０が３次元表示を実行するために必要な画像処理を施す表示画像処理部２１と、表示画像処理部２１における画像処理に必要な画像データを例えば左画像データおよび右画像データとして記憶する画像メモリ２２を備える。
【００５４】
表示部２０は、表示画像処理部２１で処理された画像信号に応じて駆動回路を駆動することで、各表示ピクセルに応じた３次元画像を表示する。画像メモリ２２は、表示に必要な複数のフレームに対応するデータ量を格納する記憶容量を備える。
【００５５】
表示画像処理部２１は、制御部１０からの制御信号に基づいて、画像メモリ２２から入力された３次元画像信号に対して、データの補完、または間引き、切り出しなどを含むスケーリング処理を施し、解像度に合わせた画像データを表示部２０へ出力する。また、背景画像に対してアイコンＩＣの表示、３次元ポインタＰＴの位置表示など画像を重畳して表示する画像処理を実行する。
【００５６】
電子機器１は、入力機能として、キーボードとは別に３次元ポインタＰＴを認識できる構成とされている。つまり、電子機器１は、２眼カメラとして、左カメラ部２６、右カメラ部２７を備え、また、左カメラ部２６および右カメラ部２７からの撮像信号を処理して３次元表示に対応する撮像データを生成する撮像処理部２５を備える。
【００５７】
左カメラ部２６、右カメラ部２７は、例えばＣＭＯＳセンサー、あるいはＣＣＤ撮像装置で構成される。撮像のサンプリングレートは、使用者（３次元ポインタＰＴ）の動作変化を検出できる周期であれば良い。３次元ポインタＰＴを検出する入力操作検出プログラムの実行中は、撮像機能を常時オン状態として動画情報を取得し、動画情報から適宜の静止画像を抽出して入力状態（３次元ポインタＰＴの指示状態）を画像解析することも可能である。
【００５８】
撮像処理部２５は、左カメラ部２６、右カメラ部２７からの撮像信号（イメージデータ：Ｂａｙｅｒ  ｆｏｒｍａｔ）を画像処理できる形式（例えば、ＹＣｂＣｒなど）に変換し、明るさ補正、フレーム補正、色補正などの画像処理を行い、得られた画像データを画像メモリ２２に格納する。また、左カメラ部２６、右カメラ部２７を制御するカメラコントローラ（不図示）を内蔵している。
【００５９】
制御部１０は、バス１０ｂを介して表示画像処理部２１、画像メモリ２２、撮像処理部２５と連係され、また、３次元ポインタ検出部１１、アイコン特定部１２、アイコン指示認定部１３、強調表示処理部１４、次動作案内部１５、次動作検出部１６として機能する。３次元ポインタ検出部１１、アイコン特定部１２、アイコン指示認定部１３、強調表示処理部１４、次動作案内部１５、次動作検出部１６は、制御部１０に対して予めインストールされたコンピュータプログラムによってそれぞれの機能を実現する構成（機能実現手段）とされている。
【００６０】
３次元ポインタ検出部１１は、２つのカメラ（表示部２０の両端の外側に配置された撮像装置）によって撮像される３次元映像（撮像データ）から３次元ポインタＰＴの検出を行い、３次元ポインタＰＴの位置情報（横位置情報ｘｘ、縦位置情報ｙｙ、奥行き情報ｚｚ）をピクセルレベルで評価して位置情報（横位置情報ｘｘ、縦位置情報ｙｙ、奥行き情報ｚｚ）を抽出（算出）する。
【００６１】
アイコン特定部１２は、３次元ポインタ検出部１１が抽出した位置情報に基づいて、３次元ポインタＰＴに指示されたアイコンＩＣを特定アイコンＩＣｍ（図３Ａ参照）として特定する。アイコン指示認定部１３は、アイコンＩＣに対する３次元ポインタＰＴの指示時間（第１時間Ｔ１、第２時間Ｔ２）に基づいて、特定アイコンＩＣｍに対する３次元ポインタＰＴの指示を認定する。
【００６２】
アイコン指示認定部１３で適用される第１時間Ｔ１、第２時間Ｔ２は、リアルタイムクロック（不図示）によって構成された計時部による時間情報によって正確に確定（計時）される。３次元ポインタＰＴによるアイコンＩＣに対する指示を認定するとき、アイコンＩＣに対する３次元ポインタＰＴの指示状況の変化、変動を解析する必要があることから、リアルタイムクロックによる時間の計時が実行される。なお、第１時間Ｔ１、第２時間Ｔ２は、それぞれ１秒程度とすることができる。
【００６３】
強調表示処理部１４は、アイコン指示認定部１３が認定した特定アイコンＩＣｍを強調表示する。特定アイコンＩＣｍを強調表示することによって、３次元ポインタＰＴによる指示の認定（確定）を確認することができる。強調表示の例としては、特定アイコンＩＣｍの輝度を向上させるハイライト処理、あるいは、模様、色彩の変更などが適用される。
【００６４】
次動作案内部１５は、特定アイコンＩＣｍに対する３次元ポインタＰＴの指示が第１時間Ｔ１に連続する第２時間Ｔ２の間、継続しているとき、特定アイコンＩＣｍに続く次の動作を案内する補助アイコンＩＣｓ（図４Ａ参照）を特定アイコンＩＣｍの周囲に表示させる。
【００６５】
次動作検出部１６は３次元ポインタＰＴが特定アイコンＩＣｍから移動されて補助アイコンＩＣｓが選択されたことを検出し、検出された補助アイコンＩＣｓに対応する動作を実行させる。
【００６６】
なお、３次元ポインタ検出部１１、アイコン特定部１２、アイコン指示認定部１３、強調表示処理部１４、次動作案内部１５、次動作検出部１６の動作、機能については、図３Ａ以降で更に具体的に説明する。
【００６７】
図３Ａおよび図３Ｂを参照して、本実施の形態に係る電子機器１での特定アイコンＩＣｍの強調表示の例について説明する。
【００６８】
図３Ａは、図１に示した電子機器１の表示部２０に表示された複数のアイコンＩＣ（アイコンＩＣ１ないしアイコンＩＣ４）が階層表示されているとき、２段目のアイコンＩＣ２が特定アイコンＩＣｍとして強調表示されている状態を示す模式図である。
【００６９】
アイコンＩＣ１、アイコンＩＣ２、アイコンＩＣ３、アイコンＩＣ４が相互に関連するアイコンＩＣとして階層関係を有することから、例えばアイコンＩＣ１が上位階層として手前側に表示（配置）され、アイコンＩＣ４が下位階層として表示部２０側に表示（配置）されている。つまり、アイコンＩＣ１〜アイコンＩＣ４は、階層構造を有する項目に属することから階層の関連性を示す縦列（奥行き方向ＤＺで示される一群のアイコンＩＣの列）として示されている。
【００７０】
図３Ａに示された４つのアイコンＩＣ（アイコンＩＣ１〜アイコンＩＣ４）は、３次元ポインタ検出部１１が３次元ポインタＰＴを検出して抽出した位置情報（横位置情報ｘｘ、縦位置情報ｙｙ、奥行き情報ｚｚ）と、アイコンＩＣ２の位置情報（横位置情報ｘｘ、縦位置情報ｙｙ、奥行き情報ｚｚ）とが一致した場合に表示される態様である。
【００７１】
３次元ポインタ検出部１１が３次元ポインタＰＴを検出し、アイコン特定部１２が３次元ポインタＰＴによって指示されたアイコンＩＣ２を特定アイコンＩＣｍとして特定し、特定アイコンＩＣｍに対する３次元ポインタＰＴの指示が予め設定された一定の時間である第１時間Ｔ１の間、継続されたとき、アイコン指示認定部１３は、特定アイコンＩＣｍに対する指示を認定し、強調表示処理部１４は、特定アイコンＩＣｍに対する強調表示を実行する。
【００７２】
したがって、階層関係を有するアイコンＩＣ１〜アイコンＩＣ４から抽出（特定、指示）された特定アイコンＩＣｍは、図３Ａに示すように他のアイコンＩＣに対して協調表示された状態となる。
【００７３】
つまり、アイコン指示認定部１３は、特定アイコンＩＣｍに対する３次元ポインタＰＴの指示が第１時間Ｔ１の間、継続されたとき、特定アイコンＩＣｍに対する指示を認定する。アイコン指示認定部１３が特定アイコンＩＣｍに対する指示を認定したとき、強調表示処理部１４は、特定アイコンＩＣｍを強調表示する。
【００７４】
なお、図３Ａでは、特定アイコンＩＣｍが強調表示された後、３次元ポインタＰＴが、例えば他の場所へ移動し、アイコンＩＣ１〜アイコンＩＣ４の位置では、存在しない状態を示している。なお、図示しないが、３次元ポインタＰＴは、図３Ｂで示されるようにアイコンＩＣ４を特定するためにアイコンＩＣ４の位置へ移動することも可能である。
【００７５】
図３Ｂは、図１に示した電子機器１の表示部２０に表示された複数のアイコンＩＣ（アイコンＩＣ１ないしアイコンＩＣ４）が階層表示されているとき、２段目のアイコンＩＣ２と４段目のアイコンＩＣ４が特定アイコンＩＣｍとして強調表示されている状態を示す模式図である。
【００７６】
アイコンＩＣ４が、アイコンＩＣ２と同様にして強調表示された状態を示す。なお、アイコンＩＣ４の指示、選択は、アイコンＩＣ２の場合と同様のステップによって実行される。
【００７７】
本実施の形態では、アイコンＩＣ（例えばアイコンＩＣ１〜アイコンＩＣ４）は、上位階層（例えばアイコンＩＣ１）から下位階層（例えばアイコンＩＣ４）までの処理動作に対応させて一群の縦列に配置され、上位階層に対応するアイコンＩＣ（例えばアイコンＩＣ４に対するアイコンＩＣ３、アイコンＩＣ３に対するアイコンＩＣ２、アイコンＩＣ２に対するアイコンＩＣ１）は、表示部２０から離れる側に配置され下位階層に対応するアイコンＩＣ（例えばアイコンＩＣ１に対するアイコンＩＣ２、アイコンＩＣ２に対するアイコンＩＣ３、アイコンＩＣ３に対するアイコンＩＣ４）に対して部分的に重畳させて表示されている。
【００７８】
したがって、本実施の形態に係る電子機器１は、相互に関連する上位から下位に渡る一群の階層を一群の縦列に部分的に重畳する形態のアイコンＩＣ（例えばアイコンＩＣ１〜アイコンＩＣ４）で表示することから、効率よく適宜の階層の該当するアイコンＩＣ（例えば、アイコンＩＣ２、アイコンＩＣ４）を抽出することができる。
【００７９】
なお、強調表示された特定アイコンＩＣｍ（アイコンＩＣ２、アイコンＩＣ４）は、一定時間を経過した後に起動する形態とすることができる。
【００８０】
図４Ａないし図４Ｇを参照して、本実施の形態に係る電子機器１での特定アイコンＩＣｍの周囲に表示される補助アイコンＩＣｓの適用について説明する。
【００８１】
図４Ａは、図１に示した表示部２０に表示されたアイコンＩＣ２が特定アイコンＩＣｍとされた後、更に第２時間Ｔ２の間、継続して指示されたときに表示される補助アイコンＩＣｓの状態を示す模式図である。
【００８２】
図４Ｂは、図４Ａに示した補助アイコンＩＣｓの内容を示すために表示面２０ｆに表示されたガイド情報の例を示す模式図である。
【００８３】
電子機器１は、強調表示された特定アイコンＩＣｍ（アイコンＩＣ２：表示面２０ｆにおける表示符号として階層の２番目を示すＳＬ２が表示された状態を示す。）に対する３次元ポインタＰＴの指示が第１時間Ｔ１に連続する第２時間Ｔ２の間、継続されたとき、特定アイコンＩＣｍに続く次の動作を案内するアイコンを特定アイコンＩＣｍの周囲に補助アイコンＩＣｓとして表示させる次動作案内部１５を備える。
【００８４】
したがって、本発明に係る電子機器１は、特定アイコンＩＣｍに対する指示を更に継続するという安定した動作によって特定アイコンＩＣｍから導かれる次の動作を案内する補助アイコンＩＣｓを表示部２０に表示させる次動作案内部１５を備えることから、迅速に効率良く次の処理フローへ進むことが可能となる。
【００８５】
なお、特定アイコンＩＣｍに対する継続した指示の認定は、アイコン指示認定部１３によって実行される。また、ガイド情報は、アイコンＩＣとは別に表示面２０ｆの適宜の場所に表示され、補助アイコンＩＣｓの動作を事前に使用者に認識させ、適宜の補助アイコンＩＣｓ（ＳＬ２１〜ＳＬ２４のいずれか一つ）を指示させることができる。
【００８６】
本実施の形態では、補助アイコンＩＣｓとして、４つが第１方向〜第４方向（特定アイコンＩＣｍに対する上下左右の４つの方向）で表示された状態を示す。
【００８７】
第１方向に対応して表示された補助アイコンＩＣｓ（ＳＬ２１）は、３次元ポインタＰＴによって指定されたとき、ハイライトされているアイコン（アイコンＩＣ２：特定アイコンＩＣｍ：ＳＬ２）が起動する動作が割り当てられたアイコンである。
【００８８】
第２方向に対応して表示された補助アイコンＩＣｓ（ＳＬ２２）は、３次元ポインタＰＴによって指定されたとき、ハイライトされているアイコン（アイコンＩＣ２：特定アイコンＩＣｍ：ＳＬ２）より手前側のアイコン（アイコンＩＣ１、アイコンＩＣ２）が全て起動する動作が割り当てられたアイコンである。
【００８９】
第３方向に対応して表示された補助アイコンＩＣｓ（ＳＬ２３）は、３次元ポインタＰＴによって指定されたとき、ハイライトされているアイコン（アイコンＩＣ２：特定アイコンＩＣｍ：ＳＬ２）より画面側のアイコン（アイコンＩＣ２、アイコンＩＣ３、アイコンＩＣ４）が全て起動する動作が割り当てられたアイコンである。
【００９０】
第４方向に対応して表示された補助アイコンＩＣｓ（ＳＬ２４）は、３次元ポインタＰＴによって指定されたとき、ハイライトされているアイコン（アイコンＩＣ２：特定アイコンＩＣｍ：ＳＬ２）と同じ縦列のアイコン（アイコンＩＣ１〜アイコンＩＣ４）が全て起動する動作が割り当てられたアイコンである。
【００９１】
なお、補助アイコンＩＣｓが表示されるとき、該当する特定アイコンＩＣｍを前面に表示し、他のアイコンＩＣを特定アイコンＩＣｍの裏側に配置した表示とすることも可能である。例えば、図４Ａの場合では、アイコンＩＣ１をアイコンＩＣ３、アイコンＩＣ４と同様に特定アイコンＩＣｍ（アイコンＩＣ２）の下側に配置して表示することができる。この構成によって、補助アイコンＩＣｓに対する視認性を向上させることができる。
【００９２】
図４Ｃは、図４Ａに示した特定アイコンＩＣｍに隣接する複数の方向の中で第１方向に表示された補助アイコンＩＣｓ（ＳＬ２１）が３次元ポインタＰＴによって選択された状態を示す模式図である。
【００９３】
図４Ｄは、図４Ｃに示した補助アイコンＩＣｓ（ＳＬ２１）が選択された後特定アイコンＩＣｍが起動する状態を模式的に示す模式図である。
【００９４】
第１時間Ｔ１および第２時間Ｔ２の間、３次元ポインタＰＴによって指示された後、次の動作を案内するアイコンとして表示された補助アイコンＩＣｓ（ＳＬ２１）が３次元ポインタＰＴの移動方向ＤＭへの移動によって選択されたとき、補助アイコンＩＣｓ（ＳＬ２１）が選択されたことが次動作検出部１６によって検出される。
【００９５】
次動作検出部１６は、補助アイコンＩＣｓ（ＳＬ２１）が選択されたことを検出すると、補助アイコンＩＣｓ（ＳＬ２１）の内容に対応する動作を実行させる構成とされている。つまり、図４Ｃで示すような３次元ポインタＰＴによる補助アイコンＩＣｓ（ＳＬ２１）の選択が実行されると、次動作検出部１６は、図４Ｄで示すとおり特定アイコンＩＣｍ（ＳＬ２）を拡大方向ＤＳで示すとおり起動させて立ち上げる。
【００９６】
なお、特定アイコンＩＣｍを起動させるとき、残りのアイコンＩＣ１、アイコンＩＣ３、アイコンＩＣ４は、そのままの状態とすることも可能であるが、表示面２０ｆの見易さを考慮して、縮小方向ＤＬで縮小させることも可能である。利便性に応じて適宜設定することができる。
【００９７】
なお、３次元ポインタＰＴによる補助アイコンＩＣｓの選択は、例えば３次元ポインタＰＴの移動（同一の縦方向ＤＹ（同一の縦位置情報ｙｙ）、同一の奥行き方向ＤＺ（奥行き情報ｚｚ）を維持した状態で、３次元ポインタＰＴを横方向ＤＸで移動）によって実行される。また、補助アイコンＩＣｓ（ＳＬ２１）に対するフリック動作によって、補助アイコンＩＣｓ（ＳＬ２１）を選択することも可能である。
【００９８】
図４Ｅは、図４Ｃに示した特定アイコンＩＣｍに隣接する複数の方向の中で第２方向に表示された補助アイコンＩＣｓ（ＳＬ２２）が３次元ポインタＰＴによって選択されて起動する前の状態を模式的に示す模式図である。
【００９９】
補助アイコンＩＣｓ（ＳＬ２２）が３次元ポインタＰＴの移動方向ＤＭへの移動によって選択されたとき、補助アイコンＩＣｓ（ＳＬ２２）が選択されたことが次動作検出部１６によって検出される。
【０１００】
次動作検出部１６は、補助アイコンＩＣｓ（ＳＬ２２）が選択されたことを検出すると、補助アイコンＩＣｓ（ＳＬ２２）の内容に対応する動作を実行させる構成とされている。つまり、３次元ポインタＰＴによる補助アイコンＩＣｓ（ＳＬ２２）の選択が実行されると、次動作検出部１６は、ハイライトされているアイコン（アイコンＩＣ２：特定アイコンＩＣｍ）より手前側のアイコン（アイコンＩＣ１、アイコンＩＣ２）を全て起動する。
【０１０１】
なお、図では、アイコンＩＣ１、アイコンＩＣ２を強調表示して起動直前とされた状態を模式的に示す。この後、アイコンＩＣ１、アイコンＩＣ２は、起動が実行される。起動状態は、図４Ｄに示したとおりであるので説明は省略する。
【０１０２】
図４Ｆは、図４Ｃに示した特定アイコンＩＣｍに隣接する複数の方向の中で第３方向に表示された補助アイコンＩＣｓ（ＳＬ２３）が３次元ポインタＰＴによって選択されて起動する前の状態を模式的に示す模式図である。
【０１０３】
補助アイコンＩＣｓ（ＳＬ２３）が３次元ポインタＰＴの移動方向ＤＭへの移動によって選択されたとき、補助アイコンＩＣｓ（ＳＬ２３）が選択されたことが次動作検出部１６によって検出される。
【０１０４】
次動作検出部１６は、補助アイコンＩＣｓ（ＳＬ２３）が選択されたことを検出すると、補助アイコンＩＣｓ（ＳＬ２３）の内容に対応する動作を実行させる構成とされている。つまり、３次元ポインタＰＴによる補助アイコンＩＣｓ（ＳＬ２３）の選択が実行されると、次動作検出部１６は、ハイライトされているアイコン（アイコンＩＣ２：特定アイコンＩＣｍ）より表示部２０側のアイコン（アイコンＩＣ２、アイコンＩＣ３、アイコンＩＣ４）を全て起動する。
【０１０５】
なお、図では、アイコンＩＣ２、アイコンＩＣ３、アイコンＩＣ４を強調表示して起動直前とされた状態を模式的に示す。この後、アイコンＩＣ２、アイコンＩＣ３、アイコンＩＣ４は、起動が実行される。起動状態は、図４Ｄに示したとおりであるので説明は省略する。
【０１０６】
図４Ｇは、図４Ｃに示した特定アイコンＩＣｍに隣接する複数の方向の中で第４方向に表示された補助アイコンＩＣｓ（ＳＬ２４）が３次元ポインタＰＴによって選択されて起動する前の状態を模式的に示す模式図である。
【０１０７】
補助アイコンＩＣｓ（ＳＬ２４）が３次元ポインタＰＴの移動方向ＤＭへの移動によって選択されたとき、補助アイコンＩＣｓ（ＳＬ２４）が選択されたことが次動作検出部１６によって検出される。
【０１０８】
次動作検出部１６は、補助アイコンＩＣｓ（ＳＬ２４）が選択されたことを検出すると、補助アイコンＩＣｓ（ＳＬ２４）の内容に対応する動作を実行させる構成とされている。つまり、３次元ポインタＰＴによる補助アイコンＩＣｓ（ＳＬ２４）の選択が実行されると、次動作検出部１６は、ハイライトされているアイコン（アイコンＩＣ２：特定アイコンＩＣｍ）を含む縦列に属するアイコンＩＣ（アイコンＩＣ１、アイコンＩＣ２、アイコンＩＣ３、アイコンＩＣ４）を全て起動する。
【０１０９】
なお、図では、アイコンＩＣ１〜アイコンＩＣ４を強調表示して起動直前とされた状態を模式的に示す。この後、アイコンＩＣ１〜アイコンＩＣ４は、起動が実行される。起動状態は、図４Ｄに示したとおりであるので説明は省略する。
【０１１０】
電子機器１において、補助アイコンＩＣｓは、特定アイコンＩＣｍに隣接する複数の方向で表示されることが好ましい。電子機器１は、特定アイコンＩＣｍに隣接する複数の方向で次の動作を案内する補助アイコンＩＣｓを表示することから、複数の方向のそれぞれに相互に異なる次の動作のいずれかを割り当てることができるので次の動作の選択を簡略化させて効率化することができる。なお、特定アイコンＩＣｍに隣接する複数の方向は、表示部２０の縦方向ＤＹ、横方向ＤＸを基準として、例えば上下左右の４方向とすることができる。
【０１１１】
複数の方向の内で第１方向の補助アイコンＩＣｓ（ＳＬ２１）は、特定アイコンＩＣｍを起動する動作が割り当てられていることが好ましい。電子機器１は、特定アイコンＩＣｍを起動する補助アイコンＩＣｓを隣接する第１方向に配置することから、３次元ポインタＰＴによって指定された特定アイコンＩＣｍの起動を簡便な操作で迅速に、かつ正確に実行することができる。
【０１１２】
複数の方向の内で第２方向の補助アイコンＩＣｓ（ＳＬ２２）は、特定アイコンＩＣｍを含めて表示部２０から離れる側のアイコンＩＣ（例えば、アイコンＩＣ１、アイコンＩＣ２）を起動する動作が割り当てられていることが好ましい。電子機器１は、特定アイコンＩＣｍを含めて表示部２０から離れる側のアイコンＩＣ（アイコンＩＣ１、アイコンＩＣ２）を起動する補助アイコンＩＣｓを隣接する第２方向に配置することから、特定アイコンＩＣｍに対して表示部２０から離れる側の複数のアイコンＩＣ（アイコンＩＣ１、アイコンＩＣ２）の起動を簡便な操作で迅速に、かつ正確に実行することができる。表示部２０から離れる側のアイコンＩＣ１は、例えば、特定アイコンＩＣｍに対して上位階層の動作を割り当てることができる。
【０１１３】
複数の方向の内で第３方向の補助アイコンＩＣｓ（ＳＬ２３）は、特定アイコンＩＣｍを含めて表示部２０に近い側のアイコンＩＣ（アイコンＩＣ２、アイコンＩＣ３、アイコンＩＣ４）を起動する動作が割り当てられていることが好ましい。電子機器１は、特定アイコンＩＣｍを含めて表示部２０に近い側のアイコンＩＣ（アイコンＩＣ２、アイコンＩＣ３、アイコンＩＣ４）を起動する補助アイコンＩＣｓを隣接する第３方向に配置することから、特定アイコンＩＣｍに対して表示部２０に近づく側の複数のアイコンＩＣ（アイコンＩＣ２、アイコンＩＣ３、アイコンＩＣ４）の起動を簡便な操作で迅速に、かつ正確に実行することができる。表示部２０に近づく側のアイコンＩＣ３、アイコンＩＣ４は、例えば、特定アイコンＩＣｍに対して下位階層の動作を割り当てることができる。
【０１１４】
複数の方向の内で第４方向の補助アイコンＩＣｓ（ＳＬ２４）は、特定アイコンＩＣｍを含めて縦列に属するアイコンＩＣ（アイコンＩＣ１〜アイコンＩＣ４）を起動する動作が割り当てられていることが好ましい。電子機器１は、特定アイコンＩＣｍを含む縦列に属するアイコンＩＣ（アイコンＩＣ１〜アイコンＩＣ４）を起動する補助アイコンＩＣｓを隣接する第４方向に配置することから、特定アイコンＩＣｍを含む縦列の複数のアイコンＩＣ（アイコンＩＣ１〜アイコンＩＣ４）の起動を簡便な操作で迅速に、かつ正確に実行することができる。特定アイコンＩＣｍを含む縦列のアイコンＩＣ（アイコンＩＣ１〜アイコンＩＣ４）は、例えば、特定アイコンＩＣｍに対して上位階層および下位階層の全ての階層の動作を割り当てることができる。なお、相互に重畳して配置された単一の縦列は、特定アイコンＩＣｍに対して上位階層、下位階層の全てを含む階層が対象とされる。
【０１１５】
第１方向、第２方向、第３方向、および第４方向は、表示部２０の縦方向ＤＹおよび横方向ＤＸに沿う方向の上下左右に配置されていることが好ましい。電子機器１は、表示部２０（特定アイコンＩＣｍ）を基準として上下左右に補助アイコンＩＣｓを配置することから、補助アイコンＩＣｓの正確な配置と補助アイコンＩＣｓに対する簡便な操作で迅速な処理が可能となる。
【０１１６】
電子機器１は、３次元ポインタＰＴが特定アイコンＩＣｍから移動されて補助アイコンＩＣｓが選択されたことを検出する次動作検出部１６を備え、次動作検出部１６は、検出された補助アイコンＩＣｓに対応する動作を実行させる構成とされていることが好ましい。電子機器１は、特定アイコンＩＣｍに対して補助アイコンＩＣｓが選択されたことを検出して補助アイコンＩＣｓに適用された動作を実行させる次動作検出部１６を備えることから、簡便な操作で迅速に、かつ正確に次動作を実行することができ、利便性を向上させる。
【０１１７】
部分的に重畳して配置されたアイコンＩＣ（例えば、アイコンＩＣ１〜アイコンＩＣ４）は、上位階層から下位階層までの処理動作に対応させて一群の縦列に配置され、上位階層に対応するアイコンＩＣ（例えば、アイコンＩＣ２に対するアイコンＩＣ１）は、表示部２０から離れる側に配置されて下位階層に対応するアイコンＩＣ（例えば、アイコンＩＣ１に対するアイコンＩＣ２）に対して部分的に重畳させて表示されていることが好ましい。電子機器１は、相互に関連する上位から下位に渡る一群の階層を一群の縦列で部分的に重畳する形態のアイコンＩＣ（例えば、アイコンＩＣ１〜アイコンＩＣ４）で表示することから、簡便な操作で効率よく適宜の階層の該当するアイコンＩＣを抽出することができる。
【０１１８】
上記したとおり、本実施の形態に係る電子機器１は、３次元画像を表示する表示部２０と、部分的に順次重畳された態様で階層が３次元画像として表示された複数のアイコンＩＣ（例えば、アイコンＩＣ１〜アイコンＩＣ４）のいずれかを指示する３次元ポインタＰＴを検出する３次元ポインタ検出部１１とを備える。
【０１１９】
また、電子機器１は、３次元ポインタ検出部１１が３次元ポインタＰＴの位置情報を抽出したとき、位置情報に基づいて３次元ポインタＰＴに指示されたアイコンＩＣを特定アイコンＩＣｍとして特定するアイコン特定部１２と、特定アイコンＩＣｍに対する３次元ポインタＰＴの指示が第１時間Ｔ１の間、継続されたとき、特定アイコンＩＣｍに対する指示を認定するアイコン指示認定部１３と、アイコン指示認定部１３が特定アイコンＩＣｍに対する指示を認定したとき特定アイコンＩＣｍを強調表示する強調表示処理部１４とを備える。
【０１２０】
したがって、本実施の形態に係る電子機器１は、３次元画像として表示されたアイコンＩＣを指示する３次元ポインタＰＴを検出して位置情報（縦位置情報ｙｙ、横位置情報ｘｘ、奥行き位置情報ｚｚ）を抽出する３次元ポインタ検出部１１と、３次元ポインタＰＴの位置情報に基づいて３次元ポインタＰＴに指示されたアイコンＩＣ（例えば、アイコンＩＣ２）を特定するアイコン特定部１２と、アイコン特定部１２によって特定された特定アイコンＩＣｍに対する３次元ポインタＰＴの指示が予め定めた第１時間Ｔ１の間、継続されたとき特定アイコンＩＣｍに対する指示がされていることを認定するアイコン指示認定部１３と、アイコン指示認定部１３が特定アイコンＩＣｍに対する指示を認定したとき特定アイコンＩＣｍを強調表示する強調表示処理部１４とを備えることから、３次元ポインタＰＴが指示した特定アイコンＩＣｍを正確に抽出してハイライト処理を施すので、３次元画像として階層構造を持たせて表示部２０に表示されたアイコンＩＣを簡便な操作で効率的に特定することができる。
【０１２１】
＜実施の形態２＞
図５を参照して本実施の形態に係る電子機器１、電子機器１におけるアイコンＩＣを操作するアイコン操作方法、電子機器１におけるアイコン操作をコンピュータに実行させるコンピュータプログラムについて説明する。実施の形態１では、電子機器１の構成について個別的に説明したが、本実施の形態では、一連の処理フローに基づいて、全体的な動作について説明する。なお、本実施の形態に係る電子機器１は、実施の形態１に係る電子機器１と同一であるので、適宜符号を援用し主に追加事項について説明する。
【０１２２】
図５は、本発明の実施の形態２に係る電子機器１における処理フローを示すフロー図である。
【０１２３】
電子機器１におけるアイコンＩＣを操作するアイコン操作方法、電子機器１におけるアイコン操作をコンピュータに実行させるコンピュータプログラムは、ステップＳ２ないしステップＳ２２によって実行される。以下、ステップＳ２からステップＳ２２までの処理フローについて説明する。
【０１２４】
ステップＳ２：
３次元ポインタ検出部１１を起動する。３次元ポインタ検出部１１は、実施の形態１に記載したとおり、表示部２０の両端に配置されたカメラ部（左カメラ部２６、右カメラ部２７）であり、表示部２０の左右から３次元ポインタＰＴ（立体ポインタ）を撮像し、３次元画像として表示部２０に表示されたアイコンＩＣを指示する３次元ポインタＰＴを撮像する。
【０１２５】
ステップＳ４：
３次元ポインタ検出部１１は、３次元ポインタＰＴを検出して３次元ポインタＰＴの位置情報（縦情報（縦位置情報ｙｙ）、横情報（横位置情報ｘｘ）、奥行き情報ｚｚ）を検出（抽出）する。
【０１２６】
ステップＳ６：
アイコン特定部１２は、３次元ポインタ検出部１１が検出した３次元ポインタＰＴの奥行き情報ｚｚ（横位置情報ｘｘ、縦位置情報ｙｙ）に基づいて対応するアイコンＩＣの有無を判定する。対応するアイコンＩＣが有る場合（本ステップ：ＹＥＳ）は、アイコン特定部１２は、対応するアイコンＩＣを特定アイコンＩＣｍとして特定し、ステップＳ８へ移行する。該当するアイコンＩＣが無い場合（本ステップ：ＮＯ）は、ステップＳ２０へ移行する。
【０１２７】
ステップＳ８：
アイコン指示認定部１３は、該当するアイコンＩＣ（特定された特定アイコンＩＣｍ）が第１時間Ｔ１の間、継続して指示されたか否かを判定する。特定アイコンＩＣｍが第１時間Ｔ１に渡って指示された場合（本ステップ：ＹＥＳ）、アイコン指示認定部１３は、特定アイコンＩＣｍに対する指示を認定しステップＳ１０へ移行する。第１時間Ｔ１以上の指示がされなかった場合（本ステップ：ＮＯ）は、ステップＳ４へ戻る。
【０１２８】
ステップＳ１０：
強調表示処理部１４は、該当する特定アイコンＩＣｍに対して表示を強調する強調表示処理（ハイライト処理）を施す。なお、ハイライト処理は、単に輝度を挙げるだけでなく、他のアイコンＩＣとの相違が明確になる識別処理であれば良い。例えば、アイコンＩＣに対する網掛け表示などでも良い。
【０１２９】
ステップＳ１２：
次動作案内部１５は、強調表示処理された特定アイコンＩＣｍが第１時間Ｔ１の後、継続して更に第２時間Ｔ２の間、指示されたか否かを判定する。第２時間Ｔ２の間、特定アイコンＩＣｍが指示された場合（本ステップ：ＹＥＳ）は、ステップＳ１４へ移行する。特定アイコンＩＣｍが継続して第２時間に渡って指示されなかった場合（本ステップ：ＮＯ）は、ステップＳ４へ戻る。
【０１３０】
ステップＳ１４：
次動作案内部１５は、次の動作を案内する補助アイコンＩＣｓを特定アイコンＩＣｍの周囲に表示する。補助アイコンＩＣｓが表示する内容は、例えば図４Ｂで示したとおりである。
【０１３１】
ステップＳ１６：
次動作検出部１６は、補助アイコンＩＣｓに応じて３次元ポインタＰＴに対するポインタ操作（補助アイコンＩＣｓの選択）がされたか否かを判定する。補助アイコンＩＣｓが選択されたことが検出された場合（本ステップ：ＹＥＳ）は、ステップＳ１８へ移行する。補助アイコンＩＣｓが選択されなかった場合（本ステップ：ＮＯ）は、ステップＳ４へ戻る。
【０１３２】
ステップＳ１８：
次動作検出部１６は、操作に応じて動作する。つまり、検出された補助アイコンＩＣｓに対応する動作を実行させる。具体的には、例えば、図４Ｃ、図４Ｄで示した補助アイコンＩＣｓ（ＳＬ２１）が選択された場合、特定アイコンＩＣｍが起動される。
【０１３３】
ステップＳ２０：
強調表示されているアイコンＩＣがあるか否かが判定される。本ステップでの判定は、例えば、次動作検出部１６によって実行させることが可能であるが、他の処理部に適宜割り当てることも可能である。強調表示されたアイコンＩＣがある場合（本ステップ：ＹＥＳ）は、ステップＳ２２へ移行する。強調表示されたアイコンＩＣが無い場合（本ステップ：ＮＯ）は、ステップＳ４へ戻る。
【０１３４】
ステップＳ２２：
強調表示されているアイコンＩＣ（例えば、特定アイコンＩＣｍ）を起動する。なお、ステップＳ２０での判定から本ステップでアイコンＩＣを起動するまでの時間は、第１時間Ｔ１、第２時間Ｔ２より多少長いこと（例えば、１秒ないし２秒）が好ましい。
【０１３５】
例えば、４つのアプリケーションにそれぞれ対応する４つのアイコンＩＣが、それぞれ個別に強調表示された場合、４つのアプリケーションを同時に起動して表示する場合がある。このとき、表示面２０ｆには、４つのアプリケーションが予め設定された分割状態で表示される。
【０１３６】
上記のとおり、本実施の形態に係る電子機器１におけるアイコン操作方法は、３次元画像を表示する表示部２０と、部分的に順次重畳された態様で階層が３次元画像として表示された複数のアイコンＩＣのいずれかを指示する３次元ポインタＰＴを検出する３次元ポインタ検出部１１とを備える電子機器１におけるアイコン操作方法であって、３次元ポインタ検出部１１が３次元ポインタＰＴの位置情報を抽出したとき、位置情報に基づいて３次元ポインタＰＴに指示されたアイコンＩＣを特定アイコンＩＣｍとしてアイコン特定部１２に特定させるステップと、特定アイコンＩＣｍに対する３次元ポインタＰＴの指示が第１時間Ｔ１の間、継続されたとき、特定アイコンＩＣｍに対する指示をアイコン指示認定部１３に認定させるステップと、アイコン指示認定部１３が特定アイコンＩＣｍに対する指示を認定したとき特定アイコンＩＣｍを強調表示処理部１４に強調表示させるステップとを備える。
【０１３７】
したがって、電子機器１におけるアイコン操作方法は、電子機器１と同様に、３次元画像として階層構造を持たせて表示部２０に表示されたアイコンＩＣを簡便な操作で効率的に特定することができる。
【０１３８】
また、本実施の形態に係る電子機器１におけるアイコン操作方法では、強調表示された特定アイコンＩＣｍに対する３次元ポインタＰＴの指示が第１時間Ｔ１に連続する第２時間Ｔ２の間、継続されたとき、特定アイコンＩＣｍに続く次の動作を案内するアイコンＩＣを特定アイコンＩＣｍの周囲に補助アイコンＩＣｓとして次動作案内部１５に表示させるステップを備えることが好ましい。
【０１３９】
したがって、電子機器１におけるアイコン操作方法は、次の動作を案内するアイコンＩＣを特定アイコンＩＣｍの周囲に補助アイコンＩＣｓとして次動作案内部１５に表示させることから、利便性を向上させることができる。
【０１４０】
また、本実施の形態に係る電子機器１におけるアイコン操作方法では、３次元ポインタＰＴが特定アイコンＩＣｍから移動されて補助アイコンＩＣｓが選択されたことを次動作検出部１６に検出させるステップと、検出された補助アイコンＩＣｓに対応する動作を次動作検出部１６に実行させるステップとを備えることが好ましい。
【０１４１】
したがって、電子機器１におけるアイコン操作方法は、補助アイコンＩＣｓが選択されたことを次動作検出部１６に検出させ、補助アイコンＩＣｓに対応する動作を次動作検出部１６に実行させることから効率的な操作を実行することができる。
【０１４２】
上記のとおり、本実施の形態に係る電子機器１におけるアイコン操作をコンピュータに実行させるコンピュータプログラムは、３次元画像を表示する表示部２０と、部分的に順次重畳された態様で階層が３次元画像として表示された複数のアイコンＩＣのいずれかを指示する３次元ポインタＰＴを検出する３次元ポインタ検出部１１とを備える電子機器１におけるアイコン操作をコンピュータに実行させるコンピュータプログラムであって、３次元ポインタ検出部１１が３次元ポインタＰＴの位置情報を抽出したとき、位置情報に基づいて３次元ポインタＰＴに指示されたアイコンＩＣを特定アイコンＩＣｍとしてアイコン特定部１２に特定させるステップと、特定アイコンＩＣｍに対する３次元ポインタＰＴの指示が第１時間Ｔ１の間、継続されたとき、特定アイコンＩＣｍに対する指示をアイコン指示認定部１３に認定させるステップと、アイコン指示認定部１３が特定アイコンＩＣｍに対する指示を認定したとき特定アイコンＩＣｍを強調表示処理部１４に強調表示させるステップとをコンピュータに実行させる。
【０１４３】
したがって、本発明に係る電子機器１におけるアイコン操作をコンピュータに実行させるコンピュータプログラムは、本発明に係る電子機器１におけるアイコン操作方法と同様に、３次元画像として階層構造を持たせて表示部２０に表示されたアイコンＩＣを簡便な操作で効率的に特定することができる。
【０１４４】
また、本実施の形態に係る電子機器１におけるアイコン操作をコンピュータに実行させるコンピュータプログラムでは、強調表示された特定アイコンＩＣｍに対する３次元ポインタＰＴの指示が第１時間Ｔ１に連続する第２時間Ｔ２の間、継続されたとき、特定アイコンＩＣｍに続く次の動作を案内するアイコンＩＣを特定アイコンＩＣｍの周囲に補助アイコンＩＣｓとして次動作案内部１５に表示させるステップをコンピュータに実行させることが好ましい。
【０１４５】
したがって、本発明に係る電子機器１におけるアイコン操作をコンピュータに実行させるコンピュータプログラムは、次の動作を案内するアイコンＩＣを特定アイコンＩＣｍの周囲に補助アイコンＩＣｓとして次動作案内部１５に表示させることから、利便性を向上させることができる。
【０１４６】
また、本実施の形態に係る電子機器１におけるアイコン操作をコンピュータに実行させるコンピュータプログラムでは、３次元ポインタＰＴが特定アイコンＩＣｍから移動されて補助アイコンＩＣｓが選択されたことを次動作検出部１６に検出させるステップと、検出された補助アイコンＩＣｓに対応する動作を次動作検出部１６に実行させるステップとをコンピュータに実行させることが好ましい。
【０１４７】
したがって、本発明に係る電子機器１におけるアイコン操作をコンピュータに実行させるコンピュータプログラムは、補助アイコンＩＣｓが選択されたことを次動作検出部１６に検出させ、補助アイコンＩＣｓに対応する動作を次動作検出部１６に実行させることから効率的な操作を実行することができる。
【符号の説明】
【０１４８】
１  電子機器
１０  制御部
１０ｂ  バス
１１  ３次元ポインタ検出部
１２  アイコン特定部
１３  アイコン指示認定部
１４  強調表示処理部
１５  次動作案内部
１６  次動作検出部
２０  表示部
２０ｆ  表示面
２１  表示画像処理部
２２  画像メモリ
２５  撮像処理部
２６  左カメラ部
２７  右カメラ部
ＩＣ、ＩＣ１、ＩＣ２、ＩＣ３、ＩＣ４   アイコン
ＩＣｍ  特定アイコン
ＩＣｓ  補助アイコン
ＰＴ  ３次元ポインタ
α  カメラ視野角
β  ポインタ検出角
ＤＹ  縦方向
ＤＸ  横方向
ＤＺ  奥行き方向
ＤＭ  移動方向
ＤＬ  縮小方向
ＤＳ  拡大方向
【図１】
2013239113.tif 000003
【図２】
2013239113.tif 000004
【図３Ａ】
2013239113.tif 000005
【図３Ｂ】
2013239113.tif 000006
【図４Ａ】
2013239113.tif 000007
【図４Ｂ】
2013239113.tif 000008
【図４Ｃ】
2013239113.tif 000009
【図４Ｄ】
2013239113.tif 000010
【図４Ｅ】
2013239113.tif 000011
【図４Ｆ】
2013239113.tif 000012
【図４Ｇ】
2013239113.tif 000013
【図５】
2013239113.tif 000014